(57)【要約】      （修正有）【課題】手術用キットと廃棄物容器を共に納品し、手術終了後に回収するシステムを提供する。【解決手段】本発明システムは、手術用キットの医療用具製造会社が正式受注を受けた手術用キットとそれらを納入する廃棄物容器とを一緒に医療機関に搬送すると共に、手術終了データを受信した後に廃棄物収集・搬送業者に回収指示を発信でき、最終的に焼却業者に焼却処分させることが可能な新規な医療廃棄物処理システムを提供するものである。【選択図】図１
2006139438.tif 000002
【特許請求の範囲】
【請求項１】
医療用具製造会社のサーバーコンピュータと、該メーカーの生産工場又は搬送センターのコンピュータ端末と、複数の病院等医療機関のクライアントコンピュータ端末と、医療廃棄物を収集・運搬する収集・運搬業者のコンピュータ端末と、医療廃棄物を焼却処分する焼却処分業者のコンピュータ端末とが通信回線で接続される医療廃棄物処理システムであって、
医療用具製造会社のサーバーコンピュータは、前記医療機関内のクライアントコンピュータ端末から送信された手術情報を受信する受信手段と、
前記手術情報から対応する手術用キットを生産することを生産工場に、また医療機関まで搬送することを搬送センターに指示管理する手術用キット管理手段と、
前記手術用キットを使用後に納入する廃棄物封入管を医療機関まで搬送することを搬送センターに指示管理する廃棄物管理手段とを有し、
搬送センターのコンピュータ端末は、前記サーバーコンピュータから指示された手術用キット内容及び廃棄物容器を管理する指示管理手段と、
指示された手術用キット情報を受けて廃棄物容器に該当データを印刷する印刷手段と、
搬送した手術用キット及び廃棄物容器を納品先毎に管理する出荷先管理手段とを有し、
医療機関側のクライアントコンピュータ端末は、患者のための手術室予約及び確定データを入力する手術室データ入力手段と、
手術内容によって使用する手術用キットを選択管理する手術用キット選択管理手段と、  該手術用キットを医療用具製造会社に発注する発注手段と、
手術後の使用済みキットを封入した廃棄物容器の引き取りデータを管理する廃棄物データ管理手段とを有し、
前記医療廃棄物を収集・運搬する収集・運搬業者のコンピュータ端末は、廃棄物容器の収集情報を受信して発注者毎に管理する管理手段と、
廃棄物容器の搬入先である焼却処業者へ搬送データを送信する送信手段とを有し、
前記医療廃棄物を焼却処分する焼却処分業者のコンピュータ端末は、収集・運搬業者からの送信情報を受信して焼却処理する焼却管理手段とを有することを特徴とする医療廃棄物処理システム。
【請求項２】
前記サーバーコンピュータの手術用キット管理手段は、前記サーバーコンピュータの手術用キット受注管理手段は、医療機関側のクライアントコンピュータ端末によって手術室が予約確定処理が成された時点で正式受注を受ける受注確定機能を有することを特徴とする請求項１記載の医療廃棄物処理システム。
【請求項３】
前記サーバーコンピュータの手術用キット情報受注管理手段は、出荷する各手術用キット及び廃棄物容器毎の商品マスタ、納品先マスタ、担当者マスタ、医療機関マスタ、廃棄物容器収集・搬送会社マスタ、焼却会社マスタ等の何れか１種以上のマスタ機能を有することを特徴とする請求項１〜２記載の医療廃棄物処理システム。
【請求項４】
前記サーバーコンピュータの指示手段は、予約確定時に該当手術用キットを予め生産工場へ必要量準備させるための第１指示機能と、
手術用キット製品及び廃棄物容器情報を搬送センターへ送信する第２指示機能とを有することを特徴とする請求項１〜３記載の医療廃棄物処理システム。
【請求項５】
医療用具製造会社のサーバーコンピュータと、該メーカーの生産工場及び搬送センターのコンピュータ端末と、複数の病院等医療機関のクライアントコンピュータ端末と、ディーラーのコンピュータ端末と、医療廃棄物を収集・運搬する収集・運搬業者のコンピュータ端末と、医療廃棄物を焼却処分する焼却処分業者のコンピュータ端末とがインターネット通信網で接続される医療廃棄物処理システムであって、
医療用具製造会社のサーバーコンピュータは、前記医療機関内のクライアントコンピュータ端末から送信された手術情報を受信する受信手段と、
前記手術情報から対応する手術用キットを生産することを生産工場に、また医療機関まで搬送することを搬送センターに指示管理する手術用キット管理手段と、
前記手術用キットを使用後に納入する廃棄物封入管を医療機関まで搬送することを搬送センターに指示管理する廃棄物管理手段とを有し、
搬送センターのコンピュータ端末は、前記サーバコンピュータから指示された手術用キット内容及び廃棄物容器を管理する指示管理手段と、
指示された手術用キット情報及び廃棄物容器に該当データを印刷する印刷手段と、
搬送した手術用キット及び廃棄物容器を納品先毎に管理する出荷先管理手段とを有し、
医療機関側のクライアントコンピュータ端末は、施設内の手術室の利用状況及び担当医療チームの情報を管理する手術室管理手段と、
手術内容によって使用する手術用キットを選択管理する手術用キット選択管理手段と、  該手術用キットを医薬納入会社に発注する発注手段と、
手術後の使用済みキットを封入した廃棄物容器の引き取りデータを管理する廃棄物データ管理手段とを有し、
医療機関側のクライアントコンピュータ端末は、患者のための手術室予約及び確定データを入力する手術室データ入力手段と、
手術内容によって使用する手術用キットを管理する手術用キット管理手段と、  
該手術用キットを医療用具製造会社又はディーラーに発注する発注手段と、
手術後の使用済みキットを封入した廃棄物容器の引き取りデータを管理する廃棄物データ管理手段とを有し、
前記ディーラーのコンピュータ端末は、前記病院等医療機関から送信された受注データを受注データとして管理する受注データ管理手段と、
前記発注データを基に前記医療用具製造会社のサーバーコンピュータへ自社製品として発注する自社受注手段とを有し、
前記医療廃棄物を収集・運搬する収集・運搬業者のコンピュータ端末は、廃棄物容器の収集情報を受信して発注者毎に管理する管理手段と、
廃棄物容器の搬入先である焼却処分会社へ搬送データを送信する送信手段とを有し、
前記医療廃棄物を焼却処分する焼却処分業者のコンピュータ端末は、収集・運搬業者からの送信情報を受信して焼却処理する焼却管理手段とを有することを特徴とする医療廃棄物処理システム。
【発明の詳細な説明】
【技術分野】
【０００１】
本発明は、病院等医療機関での手術時に使用される手術用キット等の医療廃棄物処理を簡易に行うための医療廃棄物処理システムに関し、更に詳しくは、医療用具製造会社が手術用キットを受注した際に該キットを一式納入可能な廃棄物容器を同時に搬送し、更に手術後に前記廃棄物容器を連携する収集・運搬業者に回収させ、最終的に焼却業者に焼却処分を依頼する新規な医療廃棄物処理システムを提供するものである。
【背景技術】
【０００２】
従来の病院等医療機関で手術を行う際に使用する手術用キット等の確保は、病院内の倉庫におかれた器具や薬品を集める場合に、材料請求伝票、薬剤請求伝票、リネン請求伝票を物品センターに提出して在庫がある場合には物品センターから出し、在庫が無い場合には新に担当看護師や、或いは物品センターの職員が発注伝票を作成して発注処理をしなければならなかった。
【０００３】
また担当医師の技量によっても使用する器具や薬品が異なることから、手術用キットの準備の際には予め担当医師の指定する器具や薬品を確認する必要もあり、各医師の好みを認識すると共にこれらを準備する看護師の負担となり、本来業務である病人の看護作業の他に、手術時の手術用キットの準備作業も加わり、多忙の一因になっていた。
っていた。
【０００４】
このため病院内で直接手術用キットの準備をするのではなく、ディーラーを介して手術用キットを注文するという外部発注の注文の仕方が採用されるようになり、このような外注を行うシステムとして、特開２００２−２５９７７８号「医療材料管理システム及び方法」は、「コンピュータシステムにより医療材料の管理を行う医療材料管理システムにおいて、予め決定された種類及び数量から成る定数の医療材料の納品を受けた医療機関において利用する医療機関端末と、医療材料を納品する物流センターにおいて利用する物流センター端末とに通信ネットワークを介して接続され、それぞれに対して相互に交信可能に構成されてなり、前記医療機関端末を介して入力された情報を、該情報を発信した医療機関と関連付けて記録する記録手段と、前記医療機関端末を介して納品済みの医療材料のうちの消費された医療材料の種類及び数を含む出庫情報が入力されたとき、前記記憶手段の所定の領域に該出庫情報を記憶すると共に、該出庫情報を発信した医療機関端末に対して該出庫情報の受信を通知する受注手段と、前記記憶手段に記憶された出庫情報に基づき、該出庫情報を発信した医療機関に納品すべき医療材料を特定する発注情報を、前記物流センター端末に出力する発注手段と、前記医療機関端末を介して、前記物流センターより納品された医療材料の種類及び数を含む入庫情報が入力されたとき、前記記憶手段に記憶された出庫情報のうちの対応するデータに、入庫済であることを識別する識別子を付加して前記記憶手段に記憶する、納品管理手段とを備えたことを特徴とする医療材料管理システム」が知られている。
【０００５】
一方、手術後に生ずる医療廃棄物の処理としては、通常、使用した器具やガーゼ等の廃棄物は用途毎、或いは物品毎に分別されてあう程度集まってから専用の回収業者に連絡して収集・回収の業務を委託していたため、これらの管理者を専任でおかなければならないというコスト上の問題があった。
【０００６】
医療廃棄物の収集、運搬、焼却処理を効果的に行うシステムとして、特開２００３−３１９９７９号「医療廃棄物処理システム」は、「医療廃棄物を排出する医療機関、医療廃棄物を収集する収集、運搬する収集・運搬業者、医療廃棄物を焼却処理する焼却処理業者、医療廃棄物の物流状況を管理する管理センターのそれぞれに情報処理装置を設置して通信網で接続した医療廃棄物処理システムであって、前記医療機関は、医療廃棄物を収納した専用の容器に医療廃棄物の明細データを記録した識別票を付与して当該容器を回収車に積載し、収集・運搬業者は、前記回収車に前記容器毎の明細データを記録した識別票を付与してから運搬車両に積載して焼却処理場に運搬し、焼却処理業者は、前記回収車の受け入れ、保管、医療廃棄物の焼却処理を行い、医療廃棄物の物流状況をリアルタイムで管理する構成としたことを特徴とする医療廃棄物処理システム」を開示している。
【特許文献１】特開２００２−２５９７７８号
【特許文献２】特開２００３−３１９９７９号
【発明の開示】
【発明が解決しようとする課題】
【０００７】
上記のように、従来、病院内で使用された手術用キット等の廃棄物は、病院側である程度の量が貯まった段階で廃棄物の収集・運搬業者に連絡して、専用の廃棄物焼却業者に焼却処分を依頼するため、廃棄物の種類、量等の廃棄物管理を一時的には排出元である病院側が担っていた。
【０００８】
従って、手術毎に使用した手術用キット一式を予めキット内容を印刷された廃棄物容器等に納入し管理すれば病院側の管理負担が少なくなるが、これらの処理を予め手術用キットの納品業者である医療用具製造会社側が、キット製品とそれらを封入する廃棄物容器と共に納品し、手術終了後に回収して専任の収集・運搬業者に適宜収集させる新規な医療廃棄物処理システムの開発が望まれていた。
【課題を解決するための手段】
【０００９】
本発明者等は、係る課題を解決するために鋭意研究したところ、手術用キット医療用具製造会社が、正式受注を受けた段階で準備した手術用キットとそれらを使用後に封入する廃棄物容器とを一緒に医療機関に搬送すると共に、手術終了データを受信した後に廃棄物収集・搬送業者に回収指示を発信できる新規な医療廃棄物処理システムを提供するものである。
【００１０】
即ち本発明の第一は、医療用具製造会社のサーバーコンピュータと、該メーカーの生産工場又は搬送センターのコンピュータ端末と、複数の病院等医療機関のクライアントコンピュータ端末と、医療廃棄物を収集・運搬する収集・運搬業者のコンピュータ端末と、医療廃棄物を焼却処分する焼却処分業者のコンピュータ端末とが通信回線で接続される医療廃棄物処理システムであって、
医療用具製造会社のサーバーコンピュータは、前記医療機関内のクライアントコンピュータ端末から送信された手術情報を受信する受信手段と、
前記手術情報から対応する手術用キットを生産することを生産工場に、また医療機関まで搬送することを搬送センターに指示管理する手術用キット管理手段と、
前記手術用キットを使用後に納入する廃棄物封入管を医療機関まで搬送することを搬送センターに指示管理する廃棄物管理手段とを有し、
搬送センターのコンピュータ端末は、前記サーバーコンピュータから指示された手術用キット内容及び廃棄物容器を管理する指示管理手段と、
指示された手術用キット情報を受けて廃棄物容器に該当データを印刷する印刷手段と、
搬送した手術用キット及び廃棄物容器を納品先毎に管理する出荷先管理手段とを有し、
医療機関側のクライアントコンピュータ端末は、患者のための手術室予約及び確定データを入力する手術室データ入力手段と、
手術内容によって使用する手術用キットを選択管理する手術用キット選択管理手段と、  該手術用キットを医療用具製造会社に発注する発注手段と、
手術後の使用済みキットを封入した廃棄物容器の引き取りデータを管理する廃棄物データ管理手段とを有し、
前記医療廃棄物を収集・運搬する収集・運搬業者のコンピュータ端末は、廃棄物容器の収集情報を受信して発注者毎に管理する管理手段と、
廃棄物容器の搬入先である焼却処業者へ搬送データを送信する送信手段とを有し、
前記医療廃棄物を焼却処分する焼却処分業者のコンピュータ端末は、収集・運搬業者からの送信情報を受信して焼却処理する焼却管理手段とを有することを特徴とする医療廃棄物処理システムである。
【００１１】
本発明の第二は、前記サーバーコンピュータの手術用キット管理手段は、前記サーバーコンピュータの手術用キット受注管理手段は、医療機関側のクライアントコンピュータ端末によって手術室が予約確定処理が成された時点で正式受注を受ける受注確定機能を有することを特徴とする請求項１記載の医療廃棄物処理システムである。
【００１２】
本発明の第三は、前記サーバーコンピュータの手術用キット情報受注管理手段は、出荷する各手術用キット及び廃棄物容器毎の商品マスタ、納品先マスタ、担当者マスタ、医療機関マスタ、廃棄物容器収集・搬送会社マスタ、焼却会社マスタ等の何れか１種以上のマスタ機能を有することを特徴とする請求項１〜２記載の医療廃棄物処理システムである。
【００１３】
本発明の第四は、前記サーバーコンピュータの指示手段は、予約確定時に該当手術用キットを予め生産工場へ必要量準備させるための第１指示機能と、
手術用キット製品及び廃棄物容器情報を搬送センターへ送信する第２指示機能とを有することを特徴とする請求項１〜３記載の医療廃棄物処理システムである。
【００１４】
本発明の第五は、医療用具製造会社のサーバーコンピュータと、該メーカーの生産工場及び搬送センターのコンピュータ端末と、複数の病院等医療機関のクライアントコンピュータ端末と、ディーラーのコンピュータ端末と、医療廃棄物を収集・運搬する収集・運搬業者のコンピュータ端末と、医療廃棄物を焼却処分する焼却処分業者のコンピュータ端末とがインターネット通信網で接続される医療廃棄物処理システムであって、
医療用具製造会社のサーバーコンピュータは、前記医療機関内のクライアントコンピュータ端末から送信された手術情報を受信する受信手段と、
前記手術情報から対応する手術用キットを生産することを生産工場に、また医療機関まで搬送することを搬送センターに指示管理する手術用キット管理手段と、
前記手術用キットを使用後に納入する廃棄物封入管を医療機関まで搬送することを搬送センターに指示管理する廃棄物管理手段とを有し、
搬送センターのコンピュータ端末は、前記サーバーコンピュータから指示された手術用キット内容及び廃棄物容器を管理する指示管理手段と、
指示された手術用キット情報及び廃棄物容器に該当データを印刷する印刷手段と、
搬送した手術用キット及び廃棄物容器を納品先毎に管理する出荷先管理手段とを有し、
医療機関側のクライアントコンピュータ端末は、施設内の手術室の利用状況及び担当医療チームの情報を管理する手術室管理手段と、
手術内容によって使用する手術用キットを選択管理する手術用キット選択管理手段と、  該手術用キットを医薬納入会社に発注する発注手段と、
手術後の使用済みキットを封入した廃棄物容器の引き取りデータを管理する廃棄物データ管理手段とを有し、
医療機関側のクライアントコンピュータ端末は、患者のための手術室予約及び確定データを入力する手術室データ入力手段と、
手術内容によって使用する手術用キットを管理する手術用キット管理手段と、  
該手術用キットを医療用具製造会社又はディーラーに発注する発注手段と、
手術後の使用済みキットを封入した廃棄物容器の引き取りデータを管理する廃棄物データ管理手段とを有し、
前記ディーラーのコンピュータ端末は、前記病院等医療機関から送信された受注データを受注データとして管理する受注データ管理手段と、
前記発注データを基に前記医療用具製造会社のサーバーコンピュータへ自社製品として発注する自社受注手段とを有し、
前記医療廃棄物を収集・運搬する収集・運搬業者のコンピュータ端末は、廃棄物容器の収集情報を受信して発注者毎に管理する管理手段と、
廃棄物容器の搬入先である焼却処分会社へ搬送データを送信する送信手段とを有し、
前記医療廃棄物を焼却処分する焼却処分業者のコンピュータ端末は、収集・運搬業者からの送信情報を受信して焼却処理する焼却管理手段とを有することを特徴とする医療廃棄物処理システムである。
【発明の効果】
【００１５】
本発明の医療廃棄物処理システムを利用することで、病院側の専任担当者によって管理されていた廃棄物が、医療用具製造会社から搬送された廃棄物容器に一括納入されて廃棄物収集・運搬業者によって随時回収されるために、病院側として専任の管理者をおかなくてもクライアントコンピュータ端末で廃棄物処理の管理データを得ることが出来るという効果を有する。
【００１６】
回収された廃棄物容器には、使用された手術用キットの種類や必要において手術名等のデータが印刷表示されているために、収集・搬送業者や焼却業者側にとっても取り扱いが容易になっている。
【００１７】
廃棄物容器の回収から、搬送データ、焼却データの管理が手術用キット医療用具製造会社のサーバーコンピュータで行われるために、廃棄物容器の追跡データが容易に得られるという効果を有している。
【発明を実施するための最良の形態】
【００１８】
以下に図面を基に、本発明の医療廃棄物処理システムを詳細に説明するが、本発明はこれらの限定されるものではない。
【実施例１】
【００１９】
図１は、本発明の医療廃棄物処理システムを説明する概要図である。手術用キット及び廃棄物容器を納入する医薬用具製造会社のサーバーコンピュータ１は、複数の医療機関の各医局に設置されたクライアントコンピュータ端末５とは専用回線又はインターネット通信網で、また該会社の生産工場又は搬送センターのコンピュータ端末６、９とは専用回線で、ディーラーのコンピュータ端末１１、廃棄物収集・搬送業者のコンピュータ端末１２及び廃棄物焼却業者のコンピュータ端末１３とはインターネット通信網で接続されている。
【００２０】
この場合、医薬用具製造会社のサーバーコンピュータ１の手術用キット管理手段は、手術室予約確定の段階で手術用キットの正式受注を受ける受注機能を有し、手術用キットの生産を生産工場８に、手術用キット及び廃棄物容器の搬送を搬送センター１０に指示する。
【００２１】
そのため、前記サーバーコンピュータ１の手術用キット受注管理手段は、出荷する各手術用キット及び廃棄物容器毎の商品マスタ、納品先マスタ、担当者マスタ、医療機関マスタ、廃棄物容器収集・搬送会社マスタ、焼却会社マスタ等の何れか１種以上のマスタ機能を有して、各関連のデータをマスタ毎にデータベース２内で個別に管理できるようにしている。
【００２２】
前記サーバーコンピュータ１の指示手段は、手術室の予約確定時に該当手術用キットを予め生産工場８へ標準キットを予め必要量準備させるための第１指示機能と、手術用キット情報及び廃棄物容器情報を生産工場８又は搬送センター１０のコンピュータ端末６、９へ送信する第２指示機能とを有し、手術用キットの受注と同時に手術後にこれらの手術用キットを一括して封入する廃棄物容器を同時に発注医療機関に搬送するように自社の搬送センター１０に指示をする。
【００２３】
さらに、手術用キット情報受注管理手段で管理するデータを、各種伝票、札、ラベル、シール、バーコード、ＩＣタグ様式で印字又は発行する印字・発行手段を有しており、各医療機関や発注会社からの受注をうけ、或いは生産工場８や搬送センター１０へ指示する場合に対応する各種伝票や、搬送する手術用キット及び廃棄物容器毎の物品名、送付先宛名、手術室名、患者ＩＤ、納入会社名等の必要事項を選択して印字したり、発行するようにしている。
【００２４】
前記生産工場８のコンピュータ端末６は、前記サーバーコンピュータ１から指示された手術用キット内容及び廃棄物容器を管理する指示管理手段と、指示された手術用キット内容及び廃棄物容器を印刷する印刷手段と、搬送した手術用キット及び廃棄物容器を納品先毎に管理する出荷先管理手段とを有しており、前記サーバーコンピュータ１からの受注指示を受け、予約時に手術用キットとして必要な器具や薬剤を組みあわせる準備を予め行い、確定時に正式発注の指示を受けて予め組み合わせた手術用キットの滅菌処理を行い製品化するようにしている。
【００２５】
また生産工場８への生産指示と共に、搬送センター１０の搬送センターコンピュータ端末９にも手術用キットの受注依頼があることが通知されるので予め搬送準備をすると共に、生産工場から手術用キット製品と廃棄物容器とを受けて一緒に委託医療機関宛に搬送するようにしている。
【００２６】
この場合、発注先への納品データを管理するために、手術用キット及び廃棄物容器の外部に製品コード、搬送先機関名、手術室名、患者ＩＤ、回収会社、焼却会社名等の必要事項を印字できるようになっており、また印字したデータはサーバーコンピュータ１に送信されて、同様にデータ管理されている。
【００２７】
一方、各医療機関側のクライアントコンピュータ端末５は、施設内の手術室の利用状況及び担当医療チームの情報を管理する手術室管理手段と、手術内容によって使用する手術用キットを管理する手術用キット管理手段と、該手術用キットを医薬納入会社に発注する発注手段と、手術後の使用済みキットを封入した廃棄物容器の引き取りデータを管理する管理手段とを有している。
【００２８】
この場合、前記手術室管理手段は、手術室の利用状況を管理する管理機能と、手術予定者のために手術室を予約する予約機能と、手術予定者のために手術室を予約確定をする予約確定機能と、担当医療チーム管理機能で、担当医師、痲酔担当医師、看護師の個人データや、担当医師毎の使用する手術道具、手術医薬のデータを管理する医師使用道具管理を行って、特に担当医師が通常使用する指定器具や指定薬品を予め選択可能にしている。
【００２９】
また前記手術用キット管理手段は、手術予定者の手術内容によって基本的な標準キット内容を管理するキット管理機能と、手術担当医師の使用する手術道具、手術医薬を前記担当医療チーム管理手段の医師使用道具管理機能から選択して、前記キット管理機能とに組み入れる第２キット管理機能とを有することによって、手術対象者や担当医師、また手術室が予約確定された時点で使用キットを納入業者に連絡できるようにしている。
【００３０】
また手術後の使用済みキットを封入した廃棄物容器の取引データを管理する廃棄物データ管理手段として、前記搬送センターより手術用キットと一緒に搬送された廃棄物容器の受け入れ、回収を記録する受け入れ・回収機能と、手術後に搬送を依頼するための搬送指示機能とを有し、手術終了データを医療機関側のクライアントコンピュータ端末５に入力すると自動的に医療用具製造会社のサーバーコンピュータ１に前記廃棄物容器の回収指示が送信されるようにプログラムされている。
【００３１】
さらに図示はしないが、データ管理手段として、手術室の稼働数を管理する計数機能と、担当医師毎の手術数、手術単価を管理する担当医師データ管理機構、廃棄物容器の収集・搬送業者や焼却業者のデータを前記廃棄物容器の印刷データから管理する廃棄物管理機能とを有することによって、手術毎或いは廃棄物容器毎の各種計数処理を可能としている。
【００３２】
本発明システムの具体的な処理手段としては、医療機関側の手術管理担当者は先ず図２に示すような基本画面であるメインメニューを開き、運用メニューから図３に示す基本情報を入力し、患者ＩＤ、手術予約日時、術式、術式構造、手術場所等の必要条件を選択入力すると、手術毎に必要な痲酔情報、機器情報、材料情報が選択可能と成っている。
【００３３】
これらの必要な情報の入力が終了したあと、必要に応じて、図示しないが患者に係る病歴情報編集、アレルギー情報編集、痲酔タグ、人員タグ、機器タグ、材料タグ、材料構成検索等の画面から必要事項を入力して手術用キット情報と対応させ、次いで図４に示すように確定画面を開いて、手術時間等を入力することによって手術室の予約が可能となり、この時点で手術室毎の予約状況が順次判明し、空き室に対して患者ＩＤを入力して部屋の予約を確定する。
【００３４】
手術室の予約確定が成されると同時に、医療機関側のクライアントコンピュータ５から専用回線７或いはインターネット通信網４で接続する医療用具製造会社のサーバーコンピュータ１に手術用キットの発注が自動的になされ、一方、医療用具製造会社のサーバコンピュータ１は受信した予約確定時の受注データを自社の手術用キット搬送センターのコンピュータ端末６へその受注データを送信して手術用キットの生産準備に入るように指示可能と成っている。
【００３５】
次いで図５に示すように手術室が予約確定されると手術用キットが発注され、次いで担当医師が確定して担当医師指定の追加キット等の情報を含めて正式発注された手術用キットを、ディーラーを介して発注されるルートか直接医療用具製造会社に発注されるどちらかのルートで受注依頼として受け、医療用具製造会社から手術用キットの生産工場に対して生産指示を行い、生産工場において先に準備していた標準用の手術用キットを組み合わせた後に滅菌処理を施して製品化し、該製品と共にこれらを封入するための廃棄物容器が直接医療機関側に納品されるが、従来の納品手続に比べ納品期日が半分の日数である１週間以内で納品可能と成った。
【００３６】
図６は、本発明に係る医局のクライアントコンピュータ端末５による手術室確保処理を示すフローシート図である。本発明システムの特徴は、手術室の予約確定時において先ず医療用具製造会社のサーバーコンピュータ１に対して発注を行い、担当医師が確定して担当医師指定のキットを含めた手術用キットを正式発注できるようになっているため、医療用具製造会社としては手術室予約段階で標準キットを予め準備でき、次いで担当医師が確定した後に担当医師指定の器具や薬品を選択可能として希望の手術用キットを納品可能としている。
【００３７】
本発明システムにおいては、さらに医療機関において手術が終了したデータをクライアントコンピュータ５に入力すると、図７に示すように医薬機器製造メーカーのサーバーコンピュータ１に廃棄物容器を回収するように指示が入るために、指示を受けた納入会社は提携する廃棄物収集・搬送業者に収集箇所を指定して、指定した廃棄物容器を回収するようにオンライン伝達ができる。
【００３８】
この場合、収集する廃棄物容器は個別でも、或いは複数個であっても予め取り決めした数量が集まった時点で、医療機関から回収するようにすればよい。
【００３９】
廃棄物収集・搬送業者は、回収した廃棄物容器の印刷データを読みとって予め送信されていた廃棄物容器のデータとすりあわせして受領したことを納入会社に送達すると共に、廃棄物焼却業者に廃棄物のデータを送信すると共に受け入れ情報等を得るようにしている。
【００４０】
これらの情報交換によって、廃棄物収集・搬送業者は予め焼却業者からの指定日時に搬送すればよく、また焼却業者としても処理前に送信された廃棄物の内容を把握することが可能となるために焼却処理工程を予め検討することができるようになっている。
【００４１】
また、予め廃棄物の回収箇所（医療機関名）、廃棄物の種類、廃棄物収集・搬送業者名等の必要事項が焼却処理前に判明しているために、廃棄物処理マニュフェストの発行も容易となっている。
【図面の簡単な説明】
【００４２】
【図１】本発明の手術用キット搬送オンラインシステムを説明する概要図である。
【図２】メインメニュー画面を表示する説明図である。
【図３】図２において予約画面を示す説明図である。
【図４】図２において確定画面を示す説明図である。
【図５】確定画面のうち個別確定を示す説明図である。
【図６】本発明に係る手術用キット及び廃棄物容器の搬送手段を示すフローシート図である。
【図７】本発明に係る廃棄物容器の搬送手段を示すフローシート図である。
【符号の説明】
【００４３】
１・・・サーバーコンピュータ
２・・・データベース
３・・・医療用具製造会社のパソコン端末
４・・・インターネット通信網
５・・・医療機関側クライアントコンピュータ端末
６・・・生産工場コンピュータ端末
７・・・専用回線
８・・・手術用キット生産工場
９・・・搬送センターコンピュータ端末
１０・・搬送センター
１１・・ディーラーのコンピュータ端末
１２・・廃棄物収集・搬送業者のコンピュータ端末
１３・・廃棄物焼却業者のコンピュータ端末
【図１】
2006139438.tif 000003
【図２】
2006139438.tif 000004
【図３】
2006139438.tif 000005
【図４】
2006139438.tif 000006
【図５】
2006139438.tif 000007
【図６】
2006139438.tif 000008
【図７】
2006139438.tif 000009